(57)【要約】【課題】初期の検索結果から学習データを作成し、この学習データから再検索のための分類用パラメータを生成し、この分類用パラメータを使用して、未知データを検索者にとって必要なデータと不要なデータに分類し、必要なデータのみをフィルタリングして検索者に提示すること。【解決手段】文書情報を入力しまた検索結果情報を出力する情報入出力部１０１、前記文書情報から検索対象となる検索語を抽出する検索語抽出部１０２、前記検索語を含む文書をデータベース１１０から検索し、また後述する分類用パラメータに対応する単語を含む文書をデータベース１１０から再検索する文書ランキング検索部１０３、前記検索の結果から学習データを作成する学習データ作成部１０４、前記学習データから分類用パラメータを生成する分類用パラメータ生成部１０５、および前記再検索の結果から検索者の検索意図に適合する文書を分類する分類部１０６により構成される。【選択図】        図１
2005092825.tif 000002
【特許請求の範囲】
【請求項１】
文書情報を入力し、また検索結果情報を出力する情報入出力手段と、
該情報入出力手段から入力された文書情報から検索対象となる検索語を抽出する検索語抽出手段と、
該検索語抽出手段により抽出された検索語を含む文書をデータベースから検索する検索手段と、
該検索手段による検索結果から検索者の検索意図を反映させた学習データを作成する学習データ作成手段と、
該学習データ作成手段により作成された学習データから分類用パラメータを生成する分類用パラメータ生成手段と、
該分類用パラメータ生成手段により生成された分類用パラメータに対応する単語を含む文書を前記データベースから検索する再検索手段と、
該再検索手段による再検索結果から検索者の検索意図に適合する文書を分類する分類手段と、を含み構成されていることを特徴とする文書フィルタリング装置。
【請求項２】
前記学習データ作成手段は、前記検索手段による検索結果のすべてまたはその一部のデータを用いて前記学習データを作成することを特徴とする請求項１に記載の文書フィルタリング装置。
【請求項３】
前記分類用パラメータ生成手段は、所定のアルゴリズムを用いて前記分類用パラメータを生成することを特徴とする請求項１または２に記載の文書フィルタリング装置。
【請求項４】
前記分類手段は、前記再検索手段による再検索の結果、得られた文書群を構成する各文書を前記分類用パラメータで評価し、評価された文書が所定の条件を満たすならば関連文書さもなければ非関連文書とし、該関連文書のみを抽出することを特徴とする請求項１〜３のいずれか一つに記載の文書フィルタリング装置。
【請求項５】
前記分類手段は、さらに前記関連文書を所定の基準に基づいてソートすることを特徴とする請求項４に記載の文書フィルタリング装置。
【請求項６】
文書情報を入力する情報入力工程と、
前記文書情報から検索対象となる検索語を抽出する検索語抽出工程と、
前記検索語を含む文書をデータベースから検索する検索工程と、
該検索工程による検索結果から検索者の検索意図を反映させた学習データを作成する学習データ作成工程と、
前記学習データから分類用パラメータを生成する分類用パラメータ生成工程と、
前記分類用パラメータに対応する単語を含む文書を前記データベースから再検索する再検索工程と、
該再検索工程による再検索結果から検索者の検索意図に適合する文書を分類する分類工程と、
該分類工程により分類された文書を表示する分類文書表示工程と、を含むことを特徴とする文書フィルタリング方法。
【請求項７】
前記学習データ作成工程は、前記検索工程による検索結果のすべてまたはその一部のデータを用いて前記学習データを作成することを特徴とする請求項６に記載の文書フィルタリング方法。
【請求項８】
前記分類用パラメータ生成工程は、所定のアルゴリズムを用いて前記分類用パラメータを生成することを特徴とする請求項６または７に記載の文書フィルタリング方法。
【請求項９】
前記分類工程は、前記再検索工程による再検索の結果、得られた文書群を構成する各文書を前記分類用パラメータで評価し、評価された文書が所定の条件を満たすならば関連文書さもなければ非関連文書とし、該関連文書のみを抽出することを特徴とする請求項６〜８のいずれか一つに記載の文書フィルタリング方法。
【請求項１０】
前記分類工程は、さらに前記関連文書を所定の基準に基づいてソートすることを特徴とする請求項９に記載の文書フィルタリング方法。
【請求項１１】
請求項６〜１０のいずれか一つに記載の文書フィルタリング方法をコンピュータに実行させることを特徴とする文書フィルタリングプログラム。
【発明の詳細な説明】
【技術分野】
【０００１】
本発明は、検索対象の文書データから関連文書データのみを抽出する文書フィルタリング装置、文書フィルタリング方法、および文書フィルタリングプログラムに関する。
【背景技術】
【０００２】
文書検索における課題は、いかに効率よく目的とする文書を探し当てるかにある。この課題を解決するために、従来の文書検索では、キーワードを論理演算子と組み合わせて文書検索を行い、ここで得られた検索結果に対し新たなキーワードと論理演算子とを組み合わせて検索結果の絞込みを行っていた。しかし、検索のために妥当なキーワードを指定したり、キーワードと論理演算子とを組み合わせて指定するには、検索する分野の専門知識が必要であったり、キーワードを見つけ出すための時間が必要になる等の問題があった。さらに、検索結果の内容を一つ一つ吟味するまでは、得られた検索結果が適切な検索条件のもとに検索されたかどうか判断がつかない等の問題があった。
【０００３】
そこで、かかる問題点を解決するため、以下のような技術が提案されている。例えば、各情報に割り振られた複数のキーワード（学習データ）と符号辞書を使用して、入力情報をスコア計算のためのベクトルに変換する。スコア計算は、キーワード符号に対する肯定メトリック、否定メトリックを取り出して行う。計算されたスコアと判定パラメータを使用して、情報の必要性と信頼性を学習（計算）する。そして、学習した必要性と信頼性の数値で、未知データを評価し、必要性の大きい順に並べ替えて検索者に提示する（特許文献１を参照。）。
【０００４】
また、ベクトル生成手段により情報に割り振られた複数のキーワードをベクトルに変換し、検索者の興味を反映したメトリックを生成し、さらにそれを分割し、それぞれのメトリックを用いて検索者の興味を前記ベクトルと前記分割されたメトリックを用いて計算されるスコアの大きい順に情報を掲示する技術が提案されている（特許文献２を参照。）。
【０００５】
【特許文献１】特許第３２４４００５号公報
【特許文献２】特開２０００−１３７７３１号公報
【発明の開示】
【発明が解決しようとする課題】
【０００６】
しかしながら、特許文献１，２に記載の技術では、フィルタリングの結果、検索者に掲示される文書には必要のない文書データも含まれてしまい、未知データのうち検索者が真に欲するデータがどれで、どのデータが不要であるかを明確に分離することができないという問題があった。
【０００７】
本発明は、上述した従来技術による問題点を解消するため、初期の検索結果から学習データを作成し、さらにこの学習データから再検索のための分類用パラメータを生成し、この分類用パラメータを使用して、未知データを検索者にとって必要なデータと不要なデータに分類し、必要なデータのみをフィルタリングして検索者に提示する文書フィルタリング装置、文書フィルタリング方法、および文書フィルタリングプログラムを提供することを目的とする。
【課題を解決するための手段】
【０００８】
上述した課題を解決し、目的を達成するため、請求項１の発明にかかる文書フィルタリング装置は、文書情報を入力し、また検索結果情報を出力する情報入出力手段と、該情報入出力手段から入力された文書情報から検索対象となる検索語を抽出する検索語抽出手段と、該検索語抽出手段により抽出された検索語を含む文書をデータベースから検索する検索手段と、該検索手段による検索結果から検索者の検索意図を反映させた学習データを作成する学習データ作成手段と、該学習データ作成手段により作成された学習データから分類用パラメータを生成する分類用パラメータ生成手段と、該分類用パラメータ生成手段により生成された分類用パラメータに対応する単語を含む文書を前記データベースから検索する再検索手段と、該再検索手段による再検索結果から検索者の検索意図に適合する文書を分類する分類手段と、を含み構成されていることを特徴とする。
【０００９】
この請求項１の発明によれば、初期の検索結果から学習データを作成し、さらにこの学習データから再検索のための分類用パラメータを生成し、この分類用パラメータを使用して、未知データを検索者にとって必要なデータと不要なデータに分類し、必要なデータのみをフィルタリングして検索者に提示することができる。この結果、検索者の意図に合致した文書検索を短時間で効率的に行うことができる。
【００１０】
また、請求項２の発明にかかる文書フィルタリング装置は、請求項１に記載の発明において、前記学習データ作成手段は、前記検索手段による検索結果のすべてまたはその一部のデータを用いて前記学習データを作成することを特徴とする。
【００１１】
この請求項２の発明によれば、一部の検索データを用いて前記学習データを作成することができるので、前記分類用パラメータを生成するまでの時間を短縮することができる。なお、すべての検索データを用いてより検索精度を高めるための分類用パラメータを生成することも可能である。
【００１２】
また、請求項３にかかる文書フィルタリング装置によれば、請求項１または２に記載の発明において、前記分類用パラメータ生成手段は、所定のアルゴリズムを用いて前記分類用パラメータを生成することを特徴とする。
【００１３】
この請求項３に記載の発明によれば、前記分類用パラメータを容易に生成することができる。
【００１４】
また、請求項４にかかる文書フィルタリング装置は、請求項１〜３のいずれか一つに記載の発明において、前記分類手段は、前記再検索手段による再検索の結果、得られた文書群を構成する各文書を前記分類用パラメータで評価し、評価された文書が所定の条件を満たすならば関連文書さもなければ非関連文書とし、該関連文書のみを抽出することを特徴とする。
【００１５】
この請求項４に記載の発明によれば、関連文書検索結果をフィルタリングすることで、検索結果の下位に埋もれている適合文書を上位に移動させることができる。
【００１６】
また、請求項５にかかる文書フィルタリング装置は、請求項４に記載の発明において、  前記分類手段は、さらに前記関連文書を所定の基準に基づいてソートすることを特徴とする。
【００１７】
この請求項５に記載の発明によれば、さらに関連文書を所定の基準でソートすることができる。
【００１８】
また、請求項６にかかる文書フィルタリング方法は、文書情報を入力する情報入力工程と、前記文書情報から検索対象となる検索語を抽出する検索語抽出工程と、前記検索語を含む文書をデータベースから検索する検索工程と、該検索工程による検索結果から検索者の検索意図を反映させた学習データを作成する学習データ作成工程と、前記学習データから分類用パラメータを生成する分類用パラメータ生成工程と、前記分類用パラメータに対応する単語を含む文書を前記データベースから再検索する再検索工程と、該再検索工程による再検索結果から検索者の検索意図に適合する文書を分類する分類工程と、該分類工程により分類された文書を表示する分類文書表示工程と、を含むことを特徴とする。
【００１９】
この請求項６の発明によれば、初期の検索結果から学習データを作成し、さらにこの学習データから再検索のための分類用パラメータを生成し、この分類用パラメータを使用して、未知データを検索者にとって必要なデータと不要なデータに分類し、必要なデータのみをフィルタリングして検索者に提示することができる。この結果、検索者の意図に合致した文書検索を短時間で効率的に行うことができる。
【００２０】
また、請求項７にかかる文書フィルタリング方法は、請求項６に記載の発明において、前記学習データ作成工程は、前記検索工程による検索結果のすべてまたはその一部のデータを用いて前記学習データを作成することを特徴とする。
【００２１】
この請求項７の発明によれば、一部の検索データを用いて前記学習データを作成することができるので、前記分類用パラメータを生成するまでの時間を短縮することができる。なお、すべての検索データを用いてより検索精度を高めるための分類用パラメータを生成することも可能である。
【００２２】
また、請求項８にかかる文書フィルタリング方法は、請求項６または７に記載の発明において、前記分類用パラメータ生成工程は、所定のアルゴリズムを用いて前記分類用パラメータを生成することを特徴とする。
【００２３】
この請求項８に記載の発明によれば、前記分類用パラメータを容易に生成することができる。
【００２４】
また、請求項９にかかる文書フィルタリング方法は、請求項６〜８のいずれか一つに記載の発明において、前記分類工程は、前記再検索工程による再検索の結果、得られた文書群を構成する各文書を前記分類用パラメータで評価し、評価された文書が所定の条件を満たすならば関連文書さもなければ非関連文書とし、該関連文書のみを抽出することを特徴とする。
【００２５】
この請求項９に記載の発明によれば、関連文書検索結果をフィルタリングすることで、検索結果の下位に埋もれている適合文書を上位に移動させることができる。
【００２６】
また、請求項１０にかかる文書フィルタリング方法は、請求項９に記載の発明において、前記分類工程は、さらに前記関連文書を所定の基準に基づいてソートすることを特徴とする。
【００２７】
この請求項１０に記載の発明によれば、さらに関連文書を所定の基準でソートすることができる。
【００２８】
また、請求項１１にかかる文書フィルタリングプログラムは、請求項６〜１０のいずれか一つに記載の文書フィルタリング方法をコンピュータに実行させることを特徴とする。
【００２９】
この請求項１１に記載の発明によれば、請求項６〜１０のいずれか一つに記載の文書フィルタリング方法をコンピュータに実行させることができる。
【発明の効果】
【００３０】
本発明にかかる文書フィルタリング装置、文書フィルタリング方法、および文書フィルタリングプログラムによれば、初期の検索結果から学習データを作成し、さらにこの学習データから再検索のための分類用パラメータを生成し、この分類用パラメータを使用して、未知データを検索者にとって必要なデータと不要なデータに分類し、必要なデータのみをフィルタリングして検索者に提示することができる。この結果、検索者の意図に合致した文書検索を短時間で効率的に行うことができるという効果を奏する。
【発明を実施するための最良の形態】
【００３１】
以下に添付図面を参照して、本発明にかかる文書フィルタリング装置、文書フィルタリング方法、および文書フィルタリングプログラムの好適な実施の形態を詳細に説明する。
【００３２】
（実施の形態）
図１は、本発明にかかる文書フィルタリング装置の概略構成を示すブロック図である。本発明の文書フィルタリング装置１００は、情報入出力部１０１、検索語抽出部１０２、文書ランキング検索部１０３、学習データ作成部１０４、分類用パラメータ生成部１０５、および分類部１０６を含み構成される。
【００３３】
情報入出力部１０１は、検索者が入力した検索文を検索語抽出部１０２へ送る。検索語抽出部１０２は、検索者が入力した検索文から検索語を抽出しこれを文書ランキング検索部１０３へ送る。文書ランキング検索部１０３は、検索語抽出部１０２が抽出した検索語を含む文書を文書フィルタリング装置１００と接続されているデータベース１１０からランキング検索する。ランキング検索とは、過去に最も多く検索対象となった単語を含む文書から順に検索することである。文書ランキング検索部１０３は、ランキング検索の結果を情報入出力部１０１へ送る。そして、情報入出力部１０１は、表示部（不図示）に文書ランキング検索部１０３から送られた検索結果を表示する。検索者は、前記表示部に表示された検索結果の内容を吟味し、表示された文書に対し情報入出力部１０１から適合文書または非適合文書を指定する。学習データ作成部１０４は、情報入出力部１０１から入力された情報に基づき、検索者の検索意図と合致した文書を適合文書、検索者の検索意図と合致していない文書を非適合文書として学習データを作成する。分類用パラメータ生成部１０５は、学習データ作成部１０４で作成された学習データに基づき、分類用パラメータを生成する（詳細は後述する）。文書ランキング検索部１０３は、分類用パラメータ生成部１０５で生成された分類用パラメータに対応する単語を検索語として、当該検索語を含む文書をデータベース１１０から再検索する。分類部１０６は、文書ランキング検索部１０３による再検索結果に対して後述するフィルタリング（検索結果を関連文書と非関連文書に分ける）を行い、関連文書のみを取り出して、これを検索結果として情報入出力部１０１へ送る。情報入出力部１０１は、分類部１０６から送られた検索結果を表示部に表示する。
【００３４】
以下、本発明の文書フィルタリング装置を用いた文書フィルタリング方法について詳細に説明する。図２−１，図２−２は、この文書フィルタリング方法の実行手順を示すフローチャートである。まず、検索者が文書フィルタリング装置１００の情報入出力部１０１から検索文を入力する（ステップＳ２０１）。具体的には、情報入出力部１０１から入力された検索文は、情報入出力部１０１の表示部上で図３に示す如く画像３００の検索語入力フィールド３０１に表示される。そして、画像３００の検索実行フィールド３０２をクリックすることで当該検索文の検索が開始される。
【００３５】
次に、検索語抽出部１０２は、情報入出力部１０１から入力された検索文から検索語を抽出する（ステップＳ２０２）。文書ランキング検索部１０３は、検索語抽出部１０２が抽出した検索語を含む文書をデータベース１１０からランキング検索する（ステップＳ２０３）。この工程での検索結果は情報入出力部１０１へ送られる。なお、ランキング検索とは、過去に最も多く検索対象となった単語を含む文書から順に検索することである。情報入出力部１０１は文書ランキング検索部１０３から送られたランキング検索の結果を、表示部に表示する（ステップＳ２０４）。
【００３６】
検索者は、前記表示部に表示された検索結果の内容を吟味し、表示された文書に対し情報入出力部１０１から適合文書または非適合文書を指定する。具体的には、図４に示すように、前記表示部に検索結果一覧として表示された画像４００の各情報に対し、例えば適合文書には○印、非適合文書には×印を付与する等して、当該データに対する適合・非適合文書情報を分別して入力し、フィルタリングフィールド４０１をクリックする。そして、学習データ作成部１０４は、情報入出力部１０１から入力された情報（適合・非適合文書を分別した情報）に基づき、検索者の検索意図と合致した文書を適合文書、検索者の検索意図と合致していない文書を非適合文書とした学習データを作成する（ステップＳ２０５）。ここでは、検索したすべての適合・非適合文書を学習データとして用いてもよいし、その一部を学習データとして用いてもよい。ただ、できるだけ多くのデータに基づいた方が精度が向上する。分類用パラメータ生成部１０５は、学習データ作成部１０４で作成された学習データに基づき、分類用パラメータを自動的に生成する（ステップＳ２０６）。
【００３７】
ここで、分類用パラメータの生成方法について説明する。分類用パラメータの生成には、線形ＳＶＭ，Fisher判別式，BayesのBinary Independence Model等のアルゴリズムを使用する。以下、具体的に説明する。
【００３８】
分類用のパラメータには、例えば、次のベクトル式中のｗ，ｂを使用する。
ｆ（ｘ）＝ｓｇｎ（ｗ・ｘ＋ｂ）  ・・・（１）
ｘは学習データの特徴量ベクトル、ｗ・ｘはベクトルｗとベクトルｘの内積である。ｗとｂが学習により決定されるパラメータとなる。ｓｇｎ（ｘ）は、引数ｘ（スカラー値）の値が正なら＋１の値をとり、０以下なら−１の値をとる。
【００３９】
また、ベクトルｗは、
ｗ＝ΣＶ（ｗｉ）×ｗｉ（ｉ＝１〜ｎ：ｎは検索語の数）
と表される。そして、学習により、Ｖ（ｗｉ），ｗｉ，ｂの値が決定される。具体的には、正の学習データｘに対してはｆ（ｘ）の値が＋１（適合文書）、負の学習データｘに対してはｆ（ｘ）の値が−１（非適合文書）になるように、Ｖ（ｗｉ），ｗｉ，ｂの値が決定される。Ｖ（ｗｉ）は単語ｗｉの重み（単語の特徴量）、ｂはしきい値である。ｗｉは各単語に対応している。
【００４０】
文書ランキング検索部１０３は、分類用パラメータ生成部１０５で生成された分類用パラメータに対応する単語を検索語として、この検索語を含む文書をデータベース１１０から再検索する（ステップＳ２０７）。この工程では、分類用のパラメータに対応するｎ個の各単語を使用して再検索を行う。この再検索の結果、各文書ｄｉには、次のような文書スコアが付与される。例えば、
ｆ（ｘ）＝ｓｇｎ（ｗ・ｘ＋ｂ）
の分類パラメータｗを使用した場合は、
ｓｃｏｒｅ（ｄｉ）＝ｗ・ｘｉ  ・・・（２）
なる文書スコアが付与される。ｘｉは文書ｄｉの特徴量ベクトルである。
【００４１】
次に、分類部１０６は、文書ランキング検索部１０３による再検索結果に対してフィルタリングを行う。具体的には、以下のような処理を行う。まず、ステップＳ２０７の再検索の結果、得られた文書群から文書を取り出し、これをｄｉとする（ステップＳ２０８）。なお、ｄｉには分類用パラメータを使用したスコア（ｓｃｏｒｅ（ｄｉ））が付与されている。次に、ｓｃｏｒｅ（ｄｉ）がステップＳ２０６で求められたしきい値（ｂ）を超えたか否かを判断する（ステップＳ２０９）。ｓｃｏｒｅ（ｄｉ）がステップＳ２０６で求められたしきい値（ｂ）を超えている（例えば、ｆ（ｘ）＝ｓｇｎ（ｗ・ｘ＋ｂ）の分類パラメータｂを使用した場合は、ｓｃｏｒｅ（ｄｉ）＋ｂ＞０となった場合）場合（ステップＳ２０９：Ｙｅｓ）は、ｄｉを検索結果（関連文書）とし（ステップＳ２１０）、ステップＳ２１１へ進む。ｓｃｏｒｅ（ｄｉ）がステップＳ２０６で求められたしきい値（ｂ）を超えていない場合（ステップＳ２０９：Ｎｏ）は、そのままステップＳ２１１へ進む。続いて、再検索の結果、得られた文書群中のすべての文書の処理が終了したか否かを判断する（ステップＳ２１１）。すべての文書の処理が終了した場合（ステップＳ２１１：Ｙｅｓ）は、ステップＳ２１２へ進む。すべての文書の処理を終了していない場合（ステップＳ２１１：Ｎｏ）は、再度ステップＳ２０８へ戻り、処理を続行する。
【００４２】
ステップＳ２１１においてすべての文書の処理が終了した場合は（ステップＳ２１１：Ｙｅｓ）、分類部１０６は、ステップＳ２１０における検索結果を情報入出力部１０１へ送る。そして、情報入出力部１０１は分類部１０６から送られた検索結果（関連文書一覧）を表示部に表示する（ステップＳ２１２）。このとき、前記表示部には、例えば図５に示すような画像５００が表示される。なお、この工程で前記再検索の結果を文書スコア順にソートしてもよい。
【００４３】
以下、本発明の文書フィルタリング方法による検索の一例を示す。例えば、検索質問文「ＡＡＡのＣＣＣ」を情報入出力部１０１から入力する。この質問文に対して文書ランキング検索を行った結果、ランキング上位に文書群
１．ＡＡＡのＣＣＣ
２．ＢＢＢのＣＣＣ
３．ＡＡＡのＤＤＤ
４．ＡＡＡのＥＥＥ
が検索結果として得られたとする。そこで、検索者は、各文書に対して適合（○）、非適合（×）を次のように指定する。
○「ＡＡＡのＣＣＣ」
×「ＢＢＢのＣＣＣ」
×「ＡＡＡのＤＤＤ」
○「ＡＡＡのＥＥＥ」
そして、これを元に分類用パラメータを自動生成したところ、
「重みつき単語集合ｗ＝ＡＡＡ：０．５，ＢＢＢ：−０．６，ＣＣＣ：０．３，ＤＤＤ：−０．２，ＥＥＥ：０．１，しきい値ｂ＝−０．４」
となったとする。
【００４４】
そこで、ＡＡＡ，ＢＢＢ，ＣＣＣ，ＤＤＤを検索語として再検索を行い、検索された文書に対して前述のようなスコアを算出する。その結果、次のようなスコアつき文書ｄ１，ｄ２，ｄ３が得られたとする。
【００４５】
ＢＢＢ，ＣＣＣを含む文書ｄ１のスコアｓｃｏｒｅ（ｄ１）は、−０．６＋０．３＝−０．３であり、
ｓｃｏｒｅ（ｄ１）＋ｂ＝−０．３−０．４＝−０．７＜０
なので検索結果として出力しない。
【００４６】
ＡＡＡ，ＤＤＤを含む文書ｄ２のスコアｓｃｏｒｅ（ｄ２）は、０．５−０．２＝０．３であり、
ｓｃｏｒｅ（ｄ２）＋ｂ＝０．３−０．４＝−０．１＜０
なので検索結果として出力しない。
【００４７】
ＡＡＡ，ＥＥＥを含む文書ｄ３のスコアｓｃｏｒｅ（ｄ３）は、０．５＋０．１＝０．６であり、
ｓｃｏｒｅ（ｄ３）＋ｂ＝０．６−０．４＝０．２＞０
なので検索結果として出力する。
【００４８】
以上説明したように、文書フィルタリング装置、文書フィルタリング方法、および文書フィルタリングプログラムによれば、初期の検索結果を学習データとして構成し、その学習データから再検索のための分類用パラメータを自動生成し、この分類用パラメータを使用して、未知データを検索者にとって必要なデータと不要なデータに分類し、必要なデータのみをフィルタリングして検索者に提示することができる。この結果、検索者の意図に合致した文書検索を短時間で効率的に行うことができる。
【００４９】
なお、本実施の形態で説明した文書フィルタリング方法は、予め用意されたプログラムをパーソナル・コンピュータやワークステーション等のコンピュータで実行することにより実現することができる。このプログラムは、ハードディスク，フレキシブルディスク，ＣＤ−ＲＯＭ，ＭＯ，ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【００５０】
以上のように、本発明にかかる文書フィルタリング装置、文書フィルタリング方法、および文書フィルタリングプログラムは、文書検索に有用であり、特に、膨大なデータからの文書検索に適している。
【図面の簡単な説明】
【００５１】
【図１】本発明にかかる文書フィルタリング装置の概略構成を示すブロック図である。
【図２−１】本発明の文書フィルタリング方法の実行手順を示すフローチャートである。
【図２−２】本発明の文書フィルタリング方法の実行手順を示すフローチャートである。
【図３】検索者が入力した検索文の表示例を示す図である。
【図４】ランキング検索結果の表示例を示す図である。
【図５】再検索結果の表示例を示す図である。
【符号の説明】
【００５２】
１００  文書フィルタリング装置
１０１  情報入出力部
１０２  検索語抽出部
１０３  文書ランキング検索部
１０４  学習データ作成部
１０５  分類用パラメータ生成部
１０６  分類部
１１０  データベース
３００，４００，５００  画像
３０１  検索語入力フィールド
３０２  検索実行フィールド
４０１  フィルタリングフィールド
【図１】
2005092825.tif 000003
【図２−１】
2005092825.tif 000004
【図２−２】
2005092825.tif 000005
【図３】
2005092825.tif 000006
【図４】
2005092825.tif 000007
【図５】
2005092825.tif 000008